(57)【要約】      （修正有）【課題】イヤプラグを両方の耳穴に差し込んで光療法や健康法を実施すると同時に、音楽を楽しんだり音楽療法を実施することができる健康器具を提供する。【解決手段】ＬＥＤランプ２８を有し耳穴に差し込まれるイヤプラグ１２と、操作部１６、ＬＥＤランプに電力を供給するバッテリ１８、および、ＬＥＤランプに所定時間だけ電力を供給するように制御する制御部１４を備えた本体１０とからなる器具に、骨伝導方式のヘッドホン３２を付加し、そのヘッドホンに携帯音楽プレーヤ４０を接続し、その携帯音楽プレーヤを本体の制御部に接続して、制御部からの信号によりＬＥＤランプへの電力供給の停止と同時に携帯音楽プレーヤによる音楽再生の停止を制御する。【選択図】図１
0003187620.tif 000002
【実用新案登録請求の範囲】
【請求項１】
耳穴への差し込みが可能である形状・大きさに形成され、光を照射するランプを有する左右一対のイヤプラグと、
操作部、前記ランプに電力を供給する電力供給部、および、前記ランプに所定時間だけ電力を供給するように電力供給部を制御する制御部を備えた本体とからなり、
耳穴に前記イヤプラグを差し込んでイヤプラグから照射される光で脳を刺激する携帯光治療・健康器具において、
骨伝導方式のヘッドホンをさらに備え、そのヘッドホンに携帯音楽プレーヤまたは多機能携帯電話器を接続するとともに、その携帯音楽プレーヤまたは多機能携帯電話器を前記本体の制御部に接続して、制御部からの信号により携帯音楽プレーヤまたは多機能携帯電話器による音楽再生の停止を制御するようにしたことを特徴とする携帯光治療・健康器具。
【請求項２】
耳穴への差し込みが可能である形状・大きさに形成され、光を照射するランプを有する左右一対のイヤプラグと、
操作部、前記ランプに電力を供給する電力供給部、および、前記ランプに所定時間だけ電力を供給するように電力供給部を制御する制御部を備えた本体とからなり、
耳穴に前記イヤプラグを差し込んでイヤプラグから照射される光で脳を刺激する携帯光治療・健康器具において、
骨伝導方式のヘッドホンをさらに備え、そのヘッドホンに携帯集音器を接続するとともに、その携帯集音器を前記本体の制御部に接続して、制御部からの信号により携帯集音器による集音の停止を制御するようにしたことを特徴とする携帯光治療・健康器具。
【請求項３】
前記本体が、前記イヤプラグのランプによる光照射が停止したことを報知するインジケータ、ブザーまたはバイブレータを具備した請求項１または請求項２に記載の携帯光治療・健康器具。
【考案の詳細な説明】
【技術分野】
【０００１】
この考案は、耳穴にイヤプラグを差し込んでイヤプラグから照射される光で脳を刺激して、不眠、ストレス、気力低下、時差ぼけ、うつ病等を改善したり生体リズムを調整して体調を整えたりするために用いられる携帯光治療・健康器具に関する。
【背景技術】
【０００２】
一部の睡眠障害やうつ病に有効とされる治療法の一種として、適切な時間帯に適当な時間、高照度の光を浴びさせることによって症状の改善を図る光療法がある。また、適切な時間帯に光を浴びることにより、生体リズムを整えて体調を良くしたり、精神的な疲労、ストレス、悩みなどを軽減・緩和し、うつ病などの心の病気を予防したりするメンタルヘルス対策も知られている。このような光療法を取り入れた治療や光を利用した健康増進のための器具として、平面状の広い発光面から自然光に近い高照度の光を照射しその光を目で浴びるようにする床置き式の光治療器具が開発され市販されている。
【０００３】
また、目から光を入れるのではなく、外耳道を通して直接に脳の光受容領域に高照度の光を照射し、その供給された光で脳を刺激して生体リズムを調整し、体調を良くしたり日常生活行動の活動性を向上させたり、また、睡眠障害やうつ病などを治療する光療法が提案され、そのための携帯光治療器具が開発されている（例えば、特許文献１、２参照。）。この光療法を適用した市販の携帯光治療・健康器具は、ＬＥＤランプを有するイヤホン型の左右一対のイヤプラグを備え、本体部のスイッチを操作することにより所定時間だけイヤプラグのＬＥＤランプから外耳道を通して脳組織に光照射するものである。また、イヤホン形状のケース内にＬＥＤ素子を収容しコードを介して電源部に接続された一対の発光部を備え、この一対の発光部を左右両耳の外耳道入口部に挿入して装着し、電源部によりＬＥＤ素子を発光駆動させて、発光部から外耳道内へ光照射することにより、体調改善を促進させる健康具が提案されている（例えば、特許文献３参照。）。
【先行技術文献】
【特許文献】
【０００４】
【特許文献１】米国特許第８，４６５，５３１号明細書
【特許文献２】米国特許第８，４３５，２７５号明細書
【特許文献３】特開２００９−３４３４９号公報（第４頁、図１−図３）
【考案の概要】
【考案が解決しようとする課題】
【０００５】
特許文献１、２に開示された携帯光治療・健康器具や特許文献３に開示された健康具はいずれも、ＬＥＤランプを有するイヤホン型の左右一対のイヤプラグを耳穴に確実に差し込んで使用されるものであり、その使用中は一定時間、イヤプラグで耳穴が塞がれることになる。このため、その間は、読書したり文章を書いたり手芸をしたりすることなどは可能であるが、音楽を聴くなどといったことはできない。また、使用中の一定時間は、強制的に外部の音が遮断されることになり、特に高齢者や児童などでは、その無音の状況に耐えられずにイヤプラグを自ら取り外してしまう、といったことも起こる。
【０００６】
この考案は、以上のような事情に鑑みてなされたものであり、ランプを有する一対のイヤプラグを両方の耳穴に差し込んで光療法や健康法を実施するとともに、その間、同時に音楽を聴いて楽しんだり音楽療法を実施したりすることができ、あるいは、外部の音を聞くことができる携帯光治療・健康器具を提供することを目的とする。
【課題を解決するための手段】
【０００７】
請求項１および請求項２に係る考案は、既に開発され市販されている携帯光治療・健康器具、すなわち、耳穴への差し込みが可能である形状・大きさに形成され、光を照射するランプを有する左右一対のイヤプラグと、操作部、前記ランプに電力を供給する電力供給部、および、前記ランプに所定時間だけ電力を供給するように電力供給部を制御する制御部を備えた本体とからなり、耳穴に前記イヤプラグを差し込んでイヤプラグから照射される光で脳を刺激する携帯光治療・健康器具に、骨伝導方式のヘッドホンを付加し、請求項１に係る考案では、前記ヘッドホンに携帯音楽プレーヤまたは多機能携帯電話器を接続するとともに、その携帯音楽プレーヤまたは多機能携帯電話器を本体の制御部に接続して、制御部からの信号により携帯音楽プレーヤまたは多機能携帯電話器による音楽再生の停止を制御するようにしたことを特徴とし、請求項２に係る考案では、前記ヘッドホンに携帯集音器を接続するとともに、その携帯集音器を本体の制御部に接続して、制御部からの信号により携帯集音器による集音の停止を制御するようにしたことを特徴とする。
【０００８】
請求項３に係る考案は、請求項１または請求項２に記載の器具において、本体に、イヤプラグのランプによる光照射が停止したことを報知するインジケータ、ブザーまたはバイブレータを具備させたことを特徴とする。
【考案の効果】
【０００９】
請求項１および請求項２に係る考案の携帯光治療・健康器具においては、一対のイヤプラグを左右両方の耳穴に差し込み、本体の操作部を操作して電力供給部からイヤプラグのランプに電力を供給すると、イヤプラグのランプから外耳道を通して脳組織に光照射され、その光で脳が刺激されることにより、生体リズムが調整されて健康増進が図られ、また、睡眠障害やうつ病などの治療効果が得られる。この際に、請求項１に係る考案の器具では、骨伝導方式のヘッドホンに携帯音楽プレーヤまたは多機能携帯電話器を接続して、ヘッドホンをこめかみ辺りに装着し、携帯音楽プレーヤまたは多機能携帯電話器を操作して音楽再生すると、光治療等を行いながら、同時に音楽を聴いて楽しんだり音楽療法を行ったりすることができる。そして、所定の設定時間が経過して、制御部からの信号によりイヤプラグのランプへの電力供給が停止すると、制御部からの信号により携帯音楽プレーヤまたは多機能携帯電話器による音楽再生も同時に停止する。また、請求項２に係る考案の器具では、骨伝導方式のヘッドホンに携帯集音器を接続して、ヘッドホンをこめかみ辺りに装着し、携帯集音器を操作して集音すると、光治療等を行いながら外部の音を聞くこともできる。そして、所定の設定時間が経過して、制御部からの信号によりイヤプラグのランプへの電力供給が停止すると、制御部からの信号により携帯集音器による集音も同時に停止する。
【００１０】
したがって、請求項１に係る考案の携帯光治療・健康器具を使用すると、一対のイヤプラグを両方の耳穴に差し込んで光療法や健康法を実施するとともに、その間、同時に音楽を聴いて楽しんだり音楽療法を実施したりすることができる。また、請求項２に係る考案の携帯光治療・健康器具を使用すると、一対のイヤプラグを両方の耳穴に差し込んで光療法や健康法を実施するとともに、その間、外部の音を聞くこともできる。
【００１１】
請求項３に係る考案の器具では、使用者は、本体のインジケータの表示、ブザー音またはバイブレータの振動により、イヤプラグのランプによる光照射が停止したことを確実に知ることができる。
【図面の簡単な説明】
【００１２】
【図１】この考案の実施形態の１例を示し、携帯光治療・健康器具の全体の概略構成を示す図である。
【図２】図１に示した携帯光治療・健康器具を使用している状態を示す図である。
【図３】図１に示した携帯光治療・健康器具を使用して光療法および音楽療法を行うときの動作を示すフローチャートである。
【図４】この別の考案の実施形態の１例を示し、携帯光治療・健康器具の一部を示す概略構成図である。
【考案を実施するための形態】
【００１３】
以下、この考案の最良の実施形態について図面を参照しながら説明する。
図１に示すように、この携帯光治療・健康器具は、本体１０と左右一対のイヤプラグ１２、１２とから構成されている。
【００１４】
本体１０は、制御部１４を備えるほか、操作ボタンからなる操作部１６、バッテリ（蓄電池）１８、スイッチング回路２０、ならびに、インジケータ２２、ブザー２４およびバイブレータ２６を具備している。イヤプラグ１２はＬＥＤランプ２８を有しており、ＬＥＤランプ２８は、コード３０を介して本体１０のスイッチング回路２０に接続されている。そして、ＬＥＤランプ２６は、本体１０のバッテリ１８から供給される電力により発光して高照度の光を照射する。また、本体１０の制御部１４は、操作部１６を操作してから所定の設定時間、例えば８分〜１２分が経過するまでバッテリ１８からイヤプラグ１２のＬＥＤランプ２８に電力を供給し、その設定時間が経過した時にバッテリ１８からＬＥＤランプ２８への電力供給を停止するようにスイッチング回路２０を制御する。
【００１５】
以上の構成は、従来の携帯光治療・健康器具と同様であるが、この器具には骨伝導方式のヘッドホン３２が備わっている。ヘッドホン３２は、バッテリを内蔵したコントローラ３４を備えており、コントローラ３４が介設されたコード３６がヘッドホン３２に接続されている。コード３６の端部には、ステレオミニプラグ３８が設けられており、そのステレオミニプラグ３８を市販のＭＰ３プレーヤ等の携帯音楽プレーヤ４０のイヤホンジャックに差し込むことにより、ヘッドホン３２が携帯音楽プレーヤ４０に接続されるようになっている。また、携帯音楽プレーヤ４０は、ＵＳＢケーブル４２を介して本体１０の制御部１４に接続される。なお、携帯音楽プレーヤ４０に代えて多機能携帯電話器（スマートホン）を用いるようにしてもよい。
【００１６】
次に、この携帯光治療・健康器具の使用方法について説明する。
本体１０に接続されたＵＳＢケーブル４２を携帯音楽プレーヤ４０に接続し、携帯音楽プレーヤ４０のイヤホンジャックにヘッドホン３２のコード３６端部のステレオミニプラグ３８を差し込む。そして、図２に示すように、一対のイヤプラグ１２、１２を左右両方の耳穴に差し込み、ヘッドホン３２をこめかみ辺りに装着する。以上の準備が出来たら、本体１０の操作部１６を操作し、すなわち、本体１０に設けられた操作ボタンを押してオンにする。この操作により、バッテリ１８からイヤプラグ１２のＬＥＤランプ２８に電力が供給され、ＬＥＤランプ２８が点灯する。また、携帯音楽プレーヤ４０を操作し、ヘッドホン３２のコントローラ３４を操作する。この操作により、携帯音楽プレーヤ４０からヘッドホン３２に音楽が流れる。そして、イヤプラグ１２のＬＥＤランプ２８から外耳道を通して脳組織に光照射され、その光で脳が刺激される。また同時に、ヘッドホン３２に流れた音楽が、音の振動としてヘッドホン３２から内耳のうずまき管に直接に伝わり、聴覚神経が刺激されることにより、音楽として聴こえる。
【００１７】
上記したように、イヤプラグ１２のＬＥＤランプ２８から照射される光で脳が刺激されることにより、生体リズムが調整されて健康増進が図られたり、睡眠障害やうつ病などの治療効果が得られることとなる。これと同時に、ヘッドホン３２から流れる音楽を骨伝導により聴くことにより、光治療等を行いながら音楽を聴いて楽しんだり音楽療法を行ったりすることができることとなる。
【００１８】
本体１０の制御部１４では、タイマ機能により操作ボタンを押してからの経過時間が計測される。そして、予め設定された時間、例えば８分〜１２分の設定時間が経過すると、制御部１４からスイッチング回路２０に信号が送られ、バッテリ１８からの電力供給が遮断され、イヤプラグ１２のＬＥＤランプ２８が消灯する。また、制御部１４からインジケータ２２、ブザー２４およびバイブレータ２６にそれぞれ信号が送られて、インジケータ２２が点滅し、ブザー２４が鳴り、バイブレータ２６が振動する。また同時に、携帯音楽プレーヤ４０に信号が送られて、携帯音楽プレーヤ４０による音楽再生が停止する。そして、暫くすると、インジケータ２２が消灯し、ブザー２４の音が止み、バイブレータ２６の振動が止まる。このときの一連の動作過程を、図３のフローチャートに示す。
【００１９】
図１に示した携帯光治療・健康器具では、骨伝導方式のヘッドホン３２に携帯音楽プレーヤ４０を接続して、光治療等を行いながら音楽を聴いて楽しんだり音楽療法を行ったりしているが、図４に示すように、骨伝導方式のヘッドホン３２に、携帯音楽プレーヤ４０に代えて携帯集音器４６を接続して使用することができる。すなわち、ヘッドホン３２の、コントローラ３４が介設されたコード３６の端部に設けられたステレオミニプラグ３８を市販の携帯集音器４４のイヤホンジャックに差し込み、携帯集音器４４を、ＵＳＢケーブル４６を介して本体１０の制御部１４（図４には本体１０の図示を省略している）に接続する。このような機器構成とした場合にも、一対のイヤプラグ１２、１２を左右両方の耳穴に差し入れ、ヘッドホン３２をこめかみ辺りに装着して、上記と同様の方法で使用される。このようにすることにより、光治療等を行いながら、その間、携帯集音器４４によって集音される外部の音を聞くことができる。
【産業上の利用可能性】
【００２０】
この考案は、耳穴にイヤプラグを差し込んでイヤプラグから照射される光で脳を刺激して、不眠、うつ病等を改善したりメンタルヘルスケアしたりするための携帯光治療・健康器具に関係した産業分野のほか、骨伝導方式のヘッドホンを製造・販売する分野や、携帯音楽プレーヤや携帯集音器を製造・販売する分野において利用される。
【符号の説明】
【００２１】
１０  本体
１２  イヤプラグ
１４  制御部
１６  操作部
１８  バッテリ
２０  スイッチング回路
２２  インジケータ
２４  ブザー
２６  バイブレータ
２８  ＬＥＤランプ
３０、３６  コード
３２  骨伝導方式のヘッドホン
３４  コントローラ
３８  ステレオミニプラグ
４０  携帯音楽プレーヤ
４２、４６  ＵＳＢケーブル
４４  携帯集音器
【図１】
0003187620.tif 000003
【図２】
0003187620.tif 000004
【図３】
0003187620.tif 000005
【図４】
0003187620.tif 000006